(57)【要約】【課題】画像データを格納するメモリの小型化を図ることができる画像処理装置等を提供する。【解決手段】圧縮器３は、ＲＥＡＤ  ＤＭＡＣ４、圧縮コア５及び最終符号検知部６を有する。ＲＥＡＤ  ＤＭＡＣ４は、バンド単位の画像データを画像メモリ２から読み出し、圧縮コア５からのＲｅｑ信号を待って画像データを送る。圧縮コア５は、画像データを符号化して圧縮処理するとともに、処理する画像データがバンド終端のデータとなるときに、終端符号を付加して符号化データを最終符号検知部６へ送出する。最終符号検知部６では、送出されたデータに終端符号が付されているかをチェックし、終端符号が検知されたときは、圧縮コア５の内部状態のリセットを行う。リセットがなされた圧縮コア５は、ＲＥＡＤ  ＤＭＡＣ４にＲｅｑ信号を発信し、次の画像データを受け取り、圧縮処理を行う。【選択図】図１
2007201705.tif 000002
【特許請求の範囲】
【請求項１】
画像データを記憶する記憶手段と、前記記憶手段に記憶された画像データを読み出す読出手段と、前記読出手段により読み出された画像データを圧縮する圧縮手段とを備える画像処理装置において、
前記記憶手段は、画像データを複数の帯状の領域であるバンド単位に分けてバンド画像データとして記憶し、
前記読出手段は、メモリ領域管理情報に基づいて前記記憶手段により記憶されたバンド画像データを読み出し、
前記圧縮手段は、
前記読出手段により読み出されたバンド画像データを符号化するとともに、
前記バンド画像データの終端を表すバンド終端符号を付加する付加手段と、
前記付加手段により付加されたバンド終端符号を検知した場合、前記圧縮手段内の前記符号化されたバンド画像データに関する情報をクリアし内部状態をリセットするリセット手段とを有することを特徴とする画像処理装置。
【請求項２】
前記読出手段により読み出されたバンド画像データを一時的に蓄積するトグルバッファを有し、
前記読出手段は、前記メモリ領域管理情報に記載された終端情報を受け取り、前記メモリ領域管理情報に対応するバンド画像データの前記トグルバッファへの書き込みが終わった場合に、次に読み出されたバンド画像データについて前記トグルバッファへ書込みを行うことを特徴とする請求項１に記載の画像処理装置。
【請求項３】
前記読出手段は、受信モジュール及び送信モジュールを有し、
前記受信モジュールは、前記記憶手段から読み出されたバンド画像データを前記トグルバッファへ書き込み、
前記送信モジュールは、前記受信モジュールにより書き込まれたバンド画像データを前記トグルバッファから読み出し、前記圧縮手段へ送出することを特徴とする請求項２に記載の画像処理装置。
【請求項４】
前記受信モジュールによる書込み及び前記送信モジュールによる読出しは、平行して行われることを特徴とする請求項３に記載の画像処理装置。
【請求項５】
前記読出手段は、複数のトグルバッファを有することを特徴とする請求項２から４のいずれか１項に記載の画像形成装置。
【請求項６】
前記記憶手段に前記バンド画像データを書き込む書込手段を備え、
前記記憶手段は、少なくとも２バンド分のバンド画像データを記憶する容量を有し、
前記読出手段は、前記書込手段により前記記憶手段に前記バンド画像データが書き込まれている際に、前記記憶手段により既に記憶されているバンド画像データを読み出すことを特徴とする請求項１から５のいずれか１項に記載の画像処理装置。
【請求項７】
画像データを記憶する記憶工程と、前記記憶工程に記憶された画像データを読み出す読出工程と、前記読出工程により読み出された画像データを圧縮する圧縮工程とを備える画像処理方法において、
前記記憶工程は、画像データを複数の帯状の領域であるバンド単位に分けてバンド画像データとして記憶し、
前記読出工程は、メモリ領域管理情報に基づいて前記記憶工程により記憶されたバンド画像データを読み出し、
前記圧縮工程は、
前記読出工程により読み出されたバンド画像データを符号化するとともに、
前記バンド画像データの終端を表すバンド終端符号を付加する付加工程と、
前記付加工程により付加されたバンド終端符号を検知した場合、前記圧縮手段内の前記符号化されたバンド画像データに関する情報をクリアし内部状態をリセットするリセット工程とを有することを特徴とする画像処理方法。
【請求項８】
前記読出工程により読み出されたバンド画像データを一時的に蓄積するトグルバッファを有する画像処理装置の画像処理方法であって、
前記読出工程は、前記メモリ領域管理情報に記載された終端情報を受け取り、前記メモリ領域管理情報に対応するバンド画像データの前記トグルバッファへの書き込みが終わった場合に、次に読み出されたバンド画像データについて前記トグルバッファへ書込みを行うことを特徴とする請求項７に記載の画像処理方法。
【請求項９】
前記読出工程は、受信モジュール及び送信モジュールを有し、
前記受信モジュールは、前記記憶工程により読み出されたバンド画像データを前記トグルバッファへ書き込み、
前記送信モジュールは、前記受信モジュールにより書き込まれたバンド画像データを前記トグルバッファから読み出し、前記圧縮工程へ送出することを特徴とする請求項８に記載の画像処理方法。
【請求項１０】
前記受信モジュールによる書込み及び前記送信モジュールによる読出しは、同時に行われることを特徴とする請求項９に記載の画像処理方法。
【請求項１１】
前記記憶工程により記憶される記憶領域が少なくとも２バンド分のバンド画像データを記憶する容量を有する画像処理装置の画像処理方法であって、
前記記憶領域に前記バンド画像データを書き込む書込工程を備え、
前記読出工程は、前記書込工程により前記記憶領域に前記バンド画像データが書き込まれている際に、前記記憶工程により既に記憶されているバンド画像データを読み出すことを特徴とする請求項７から１０のいずれか１項に記載の画像処理方法。
【請求項１２】
画像形成装置が備えるコンピュータに請求項７から１１に記載の画像処理方法を実行させるためのプログラム。
【請求項１３】
請求項１２に記載のプログラムを記録したコンピュータ読取可能な記録媒体。
【発明の詳細な説明】
【技術分野】
【０００１】
本発明は、画像処理装置、画像処理方法、プログラム及びコンピュータ読み取り可能な記録媒体に関し、特にメモリから読み取った画像データをバンド単位で圧縮する画像処理装置等に関するものである。
【背景技術】
【０００２】
従来、画像処理装置においては、画像メモリから１ページ分の画像データを読み出し、これを一旦ＲＡＭ等のメモリに展開して圧縮器に送り、これを圧縮処理して符号化データを得るようにしている。
【０００３】
なお、画像メモリに対して画像データの入出力（読み書き）を実行するために、ＤＭＡ（Direct Memory Access）データ転送方式を用いたメモリ制御コントローラ（以下、ＤＭＡＣという）が用いられる。ＤＭＡＣは、ディスクリプタと呼ばれるメモリ領域管理情報に基づいて、画像メモリの特定の記憶領域（メモリ領域）に対して画像データの入出力を行うための制御を実行する。
【０００４】
ところで、近年のデータ処理機能の向上に伴い、画像を取り扱う機会が増加しており、さらに取り扱う画像も高解像度のカラー画像を扱うようになってきている。例えば、レーザプリンタ等の画像形成装置においても、印刷処理の高速化に加え、カラー化、高画質化が急速に進んでおり、さらなる高機能化が望まれている。
【０００５】
また、大量のデータを処理する際に、一旦メモリに記憶させてから出力することが行われるが、画像のカラー化、高画質化のためにデータ量が増加すると、画像を記憶しておくために大量のメモリを必要とするという問題も発生する。もちろん、画像だけでなく、例えば画像に付加された様々なデータも記憶する必要があり、必要とされるメモリ量はさらに多くなる。
【０００６】
これに対し、例えば特許文献１では、画像データを記憶する記憶部のリソースの有効利用を図り、生産性を確保する画像処理装置が開示されている。
【特許文献１】特開２００４−２２０５７９号公報
【発明の開示】
【発明が解決しようとする課題】
【０００７】
ところで、レーザプリンタ、インクジェットプリンタ等の画像形成装置では、印刷に際して、ビットマップ形式で表現されたデータに基づいて印刷処理が行われる。しかし、ビットマップデータはデータ量が大きいため、１ページ分のデータを保持してから印刷を行う場合、画像形成装置は膨大な量のメモリを必要とすることになる。
【０００８】
このように、ページ処理単位が基本となる画像処理装置を供える画像形成装置では、読み出された画像データが展開されるメモリとしては少なくとも１ページ分の容量を必要とし、メモリが大型化し、増大してしまうという問題があった。
【０００９】
そこで、本発明は、画像データを格納するメモリの小型化を図ることができる画像処理装置等を提供することを目的とする。
【課題を解決するための手段】
【００１０】
かかる目的を達成するために、請求項１記載の発明は、画像データを記憶する記憶手段と、前記記憶手段に記憶された画像データを読み出す読出手段と、前記読出手段により読み出された画像データを圧縮する圧縮手段とを備える画像処理装置において、前記記憶手段は、画像データを複数の帯状の領域であるバンド単位に分けてバンド画像データとして記憶し、前記読出手段は、メモリ領域管理情報に基づいて前記記憶手段により記憶されたバンド画像データを読み出し、前記圧縮手段は、前記読出手段により読み出されたバンド画像データを符号化するとともに、前記バンド画像データの終端を表すバンド終端符号を付加する付加手段と、前記付加手段により付加されたバンド終端符号を検知した場合、前記圧縮手段内の前記符号化されたバンド画像データに関する情報をクリアし内部状態をリセットするリセット手段とを有することを特徴とする。
【００１１】
本請求項記載の発明は、記憶手段、読出手段及び圧縮手段を備える画像処理装置で、特に圧縮手段に特徴を有するものである。圧縮手段は、記憶手段及び読出手段により記憶され読み出されたバンド単位の画像データを符号化して圧縮処理する。そして、圧縮手段は、さらに付加手段及びリセット手段を備える。付加手段は、符号化した画像データにバンドの終端を表す情報を符号として付加し、リセット手段が圧力手段のリセットを行うタイミングを提供する。リセット手段は、後続の圧縮処理をスムーズに行うために、圧縮手段内の圧縮処理済みの画像データに関する情報をクリアし、内部状態をリセットする。当該リセットは、付加手段による終端符号を受けて行われる。本構成をとることで、膨大な画像データをバンド単位で圧縮処理し、画像展開等を行うことができることから数バンド分のメモリをあればよく、メモリの増大を回避して小型化を図ることが可能となる。また、圧縮処理に際しても、バンド単位で圧縮処理済みの画像データのクリアをすることで、処理速度の低下を防ぐことができる。
【００１２】
また、請求項２記載の発明は、請求項１に記載の画像処理装置において、前記読出手段により読み出されたバンド画像データを一時的に蓄積するトグルバッファを有し、前記読出手段は、前記メモリ領域管理情報に記載された終端情報を受け取り、前記メモリ領域管理情報に対応するバンド画像データの前記トグルバッファへの書き込みが終わった場合に、次に読み出されたバンド画像データについて前記トグルバッファへ書込みを行うことを特徴とする。
【００１３】
また、請求項３記載の発明は、請求項２に記載の画像処理装置において、前記読出手段は、受信モジュール及び送信モジュールを有し、前記受信モジュールは、前記記憶手段から読み出されたバンド画像データを前記トグルバッファへ書き込み、前記送信モジュールは、前記受信モジュールにより書き込まれたバンド画像データを前記トグルバッファから読み出し、前記圧縮手段へ送出することを特徴とする。
【００１４】
また、請求項４記載の発明は、請求項３に記載の画像処理装置において、前記受信モジュールによる書込み及び前記送信モジュールによる読出しは、平行して行われることを特徴とする。
【００１５】
また、請求項５記載の発明は、請求項２から４のいずれか１項に記載の画像形成装置において、前記読出手段は、複数のトグルバッファを有することを特徴とする。
【００１６】
また、請求項６記載の発明は、請求項１から５のいずれか１項に記載の画像処理装置において、前記記憶手段に前記バンド画像データを書き込む書込手段を備え、前記記憶手段は、少なくとも２バンド分のバンド画像データを記憶する容量を有し、前記読出手段は、前記書込手段により前記記憶手段に前記バンド画像データが書き込まれている際に、前記記憶手段により既に記憶されているバンド画像データを読み出すことを特徴とする。
【００１７】
また、請求項７記載の発明は、画像データを記憶する記憶工程と、前記記憶工程に記憶された画像データを読み出す読出工程と、前記読出工程により読み出された画像データを圧縮する圧縮工程とを備える画像処理方法において、前記記憶工程は、画像データを複数の帯状の領域であるバンド単位に分けてバンド画像データとして記憶し、前記読出工程は、メモリ領域管理情報に基づいて前記記憶工程により記憶されたバンド画像データを読み出し、前記圧縮工程は、前記読出工程により読み出されたバンド画像データを符号化するとともに、前記バンド画像データの終端を表すバンド終端符号を付加する付加工程と、前記付加工程により付加されたバンド終端符号を検知した場合、前記圧縮手段内の前記符号化されたバンド画像データに関する情報をクリアし内部状態をリセットするリセット工程とを有することを特徴とする。
【００１８】
また、請求項８記載の発明は、請求項７に記載の画像処理方法において、前記読出工程により読み出されたバンド画像データを一時的に蓄積するトグルバッファを有する画像処理装置の画像処理方法であって、前記読出工程は、前記メモリ領域管理情報に記載された終端情報を受け取り、前記メモリ領域管理情報に対応するバンド画像データの前記トグルバッファへの書き込みが終わった場合に、次に読み出されたバンド画像データについて前記トグルバッファへ書込みを行うことを特徴とする。
【００１９】
また、請求項９記載の発明は、請求項８に記載の画像処理方法において、前記読出工程は、受信モジュール及び送信モジュールを有し、前記受信モジュールは、前記記憶工程により読み出されたバンド画像データを前記トグルバッファへ書き込み、前記送信モジュールは、前記受信モジュールにより書き込まれたバンド画像データを前記トグルバッファから読み出し、前記圧縮工程へ送出することを特徴とする。
【００２０】
また、請求項１０記載の発明は、請求項９に記載の画像処理方法において、前記受信モジュールによる書込み及び前記送信モジュールによる読出しは、同時に行われることを特徴とする。
【００２１】
また、請求項１１記載の発明は、請求項７から１０のいずれか１項に記載の画像処理方法において、前記記憶工程により記憶される記憶領域が少なくとも２バンド分のバンド画像データを記憶する容量を有する画像処理装置の画像処理方法であって、前記記憶領域に前記バンド画像データを書き込む書込工程を備え、前記読出工程は、前記書込工程により前記記憶領域に前記バンド画像データが書き込まれている際に、前記記憶工程により既に記憶されているバンド画像データを読み出すことを特徴とする。
【００２２】
また、請求項１２記載の発明は、画像形成装置が備えるコンピュータに請求項７から１１に記載の画像処理方法を実行させるためのプログラムである。
【００２３】
また、請求項１３記載の発明は、請求項１２に記載のプログラムを記録したコンピュータ読取可能な記録媒体である。
【発明の効果】
【００２４】
本発明によれば、本発明は、画像データを格納するメモリの小型化を図ることができる画像処理装置等が実現される。
【発明を実施するための最良の形態】
【００２５】
＜実施形態１＞
まず、図１を参照しながら、本発明の第１の実施形態における画像処理装置について説明する。
【００２６】
図１は、本実施形態における画像処理装置の構成を示すブロック図である。画像処理装置１は、画像メモリ２、圧縮器３を備えており、画像メモリ２は、例えば半導体メモリ等であり、画像入力装置から入力される画像データを記憶し、圧縮器３は、画像メモリ２に記憶された画像データを符号化、すなわちデータ形式の変換を行って出力する。また、圧縮器３は、ＲＥＡＤ  ＤＭＡＣ４、圧縮コア５、最終符号検知部６、ＷＲＩＴＥ  ＤＭＡＣ７から構成される。
【００２７】
ＲＥＡＤ  ＤＭＡＣ４は、主に画像データ読取りを行うＤＭＡＣで、ディスクリプタに基づいて画像メモリ２から画像データを読み込み、圧縮コア５へ画像データを送り出す。なお、ディスクリプタには、バンド単位の画像データ（以下、バンドデータという）の終わりを意味するバンド終端情報を記載できる。
【００２８】
圧縮コア５は、ＲＥＡＤ  ＤＭＡＣ４から送り出された画像データに圧縮処理を行い、符号化されたデータを最終符号検知部へ送出する。
【００２９】
最終符号検知部６は、圧縮コア５から送出された符号化データに後述するバンド終端符号が付加されているか否かの検知を行い、符号化データをＷＲＩＴＥ  ＤＭＡＣ７へ送る。
【００３０】
ＷＲＩＴＥ  ＤＭＡＣ７は、主に画像データ書込みを行うＤＭＡＣで、最終符号検知部より送られた符号化データを画像メモリ２に書き込む。なお、符号化された画像データは、画像メモリ２とは別の記憶装置、例えばＨＤＤ（Hard Disk Drive）等の補助記憶装置に書き込んでもよい。
【００３１】
以下、圧縮器３における圧縮処理について詳細に述べる。
【００３２】
まず、ＲＥＡＤ  ＤＭＡＣ４は、ＫＩＣＫ信号を立ち上げ、圧縮コア５によりＲｅｑ信号が発信されるのを待機する。Ｒｅｑ信号が返されたときに、ＡＣＫ信号と読み出した画像データを圧縮コア５に送出していく。ＡＣＫ信号及び画像データの送出中はＫＩＣＫ信号が立上げ状態であるが、ディスクリプタに記載されたバンド終端情報によりバンドデータの終わりを判断し、ＫＩＣＫ信号を下げる。
【００３３】
次に、圧縮コア５は、ＫＩＣＫ信号が立上げ状態になったら、内部状態がクリアされた時点でＲｅｑ信号をＲＥＡＤ  ＤＭＡＣ４に対して発信する。そして、ＲＥＡＤ  ＤＭＡＣ４から送られた画像データを符号化し、随時、その符号化データを最終符号検知部６に送り出す。ＫＩＣＫ信号が下がっていたときには、さらに終端処理を行い、最後にバンド終端符号を付加して送出する。バンド終端符号は、バンドデータの終わりを意味する点では上述したバンド終端情報と共通するが、圧縮された画像データと共通のデータ形式の符号化データであり、ディスクリプタの情報が符号化の対象でない点で異なる。
【００３４】
次に、最終符号検知部６は、圧縮コア５から送り出された符号化データにバンド終端符号が付されていたときに、圧縮コア５にリセットをかける。すなわち、圧縮コア５に対しＲｅｓｅｔ信号を発信する。圧縮コア５では、最終符号検知部６よるＲｅｓｅｔ信号を受けて圧縮コア５内の圧縮データ等に関する情報をクリアし、内部状態のリセットを行う。
【００３５】
本実施形態のように構成することで、バンド単位で画像データを圧縮処理し、また画像展開を行うことで、メモリの増大を回避し小型化を図ることができる。また、圧縮処理に際して、バンド単位で圧縮処理済みの画像データのクリアをすることで、処理速度の低下を防ぐことができる。
【００３６】
＜実施形態２＞
次に、図２を参照しながら、本発明の第２の実施形態における画像処理装置について説明する。
【００３７】
図１は、本実施形態における画像処理装置の構成を示すブロック図である。基本的な構成は実施形態１と同様であるが、ＲＥＡＤ  ＤＭＡＣ４にモジュール及びトグルバッファを設けている点で異なる。
【００３８】
圧縮器３のＲＥＡＤ  ＤＭＡＣ４は、受信モジュール２１、送信モジュール２２、第１トグルバッファ２３及び第２トグルバッファ２４を備える。
【００３９】
受信モジュール２１は、画像メモリ２からの画像データを受信する受信側のモジュールで、受信した画像データの書込みを２つのトグルバッファに対して行う。
【００４０】
送信モジュール２２は、圧縮コアに画像データを送信する送信側のモジュールで、受信モジュール２１がトグルバッファに書き込んだ画像データの読出しを行う。
【００４１】
第１トグルバッファ２３及び第２トグルバッファ２４は、圧縮処理するための画像データを一時的に格納する記憶領域で、一方において受信モジュール２１により書込みが行われているときに、別の一方では送信モジュール２２により書き込まれた画像データの読出しが行われる。バッファが１つしかない場合は、書込み要求と読出し要求がかちあったときにいずれかの要求が待たされるが、２つのバッファを用いることで書込み要求と読出し要求とを並列して行うことができる。
【００４２】
以下、本実施形態の圧縮器３における圧縮処理について詳細に述べる。なお、基本的な流れは実施形態１と同様であるので、相違する点を中心に説明する。
【００４３】
まず、ＲＥＡＤ  ＤＭＡＣ４は、ディスクリプタを受け取り動作する。受信モジュール２１は、画像データを受信すると、例えば第１トグルバッファにデータの書込みを行う。通常は、書き込んでいたトグルバッファの空き容量がなくなった時点で、もう一方のトグルバッファにデータを書き込み始める。
【００４４】
また、転送対象の画像データに対応するディスクリプタにバンド終端情報が記載されているときには、受信モジュール２１は、ディスクリプタ記載の画像データを一方のトグルバッファに書き終えると、次に受信したディスクリプタの画像データを別の一方のトグルバッファに書き込む。
【００４５】
次に、送信モジュール２２は、容量のなくなったトグルバッファあるいは書込みが行われていないトグルバッファを読み出し、読み出した画像データを圧縮コア５に送信するが、データ送信に際しては実施形態１と同様に、まずＫＩＣＫ信号を立ち上げ、圧縮コア５からのＲｅｑ信号を待機する。そして、受信モジュール２１からバンド終端情報の記載されたディスクリプタを受け取ると、トグルバッファに書き込まれたバンド最後のデータの送信を終了した時点でＫＩＣＫ信号を下げる。
【００４６】
圧縮処理、最終符号検知、リセット処理等については実施形態１と同様であるため、説明を省略する。
【００４７】
本実施形態のように構成することで、データリードの流れを止めることなく、バンドデータ毎の圧縮が可能となり、圧縮処理が効率化する。なお、この仕組みが成立するには、圧縮コアがＫＩＣＫ信号の下げを受けＥｎｄ  Ｏｆ  Ｄａｔａ信号を受け取ってから、圧縮処理の終了後にＲｅｑ信号を返すまでの間にトグルバッファに十分な余裕があることが必要である。
【００４８】
＜実施形態３＞
次に、図３を参照しながら、本発明の第３の実施形態における画像処理装置について説明する。
【００４９】
図３は、本実施形態における画像処理装置の構成を示すブロック図である。本実施形態は、圧縮器と接続される画像メモリ及び他モジュールについて別に構成したものである。圧縮器３内部の実装については、先述した実施形態１、実施形態２のいずれでも構わない。
【００５０】
他モジュール３１はメモリ２へ画像データ書込みのアクセスを行い、圧縮器３は書き込まれた画像データの読出しを行う。また、メモリ２は、バンド単位に画像データを格納する領域を持ち、例えばｍバンド目の画像データの格納領域３２、ｍ＋１バンド目の画像データの格納領域３３を有する。
【００５１】
また、他モジュール３１の書込み及び圧縮器３の読出しは平行して行われる。例えば、他モジュール３１がｍバンド目の画像データを格納領域３２へ書き込んでいる際に、圧縮器３はｍ＋１バンド目の画像データを読み出して圧縮処理を行う。
【００５２】
また、圧縮器３は、バンド毎に圧縮された符号化データの書込みを画像メモリ２に対して行うが、別の記憶装置に行ってもよい。
【００５３】
本実施形態の構成によれば、画像データを格納する記憶手段として、少なくとも２バンド分のメモリがあればよいことになり、メモリの小型化が可能となる。なお、本実施形態では、画像メモリ２への書込み、読出しは、ＤＭＡＣを用いて行われることから、実施形態２のようにトグルバッファを用いることとは異なる。
【００５４】
なお、各実施形態による処理をＣＰＵが実行するためのプログラムは、本発明に係るプログラムを構成する。また、該プログラムを記録する記録媒体は、本発明に係るコンピュータ読み取り可能な記録媒体を構成する。当該記録媒体としては、例えば、フロッピディスク、ＨＤＤ、光ディスク、光磁気ディスク、ＣＤ−ＲＯＭ、ＣＤ−Ｒ、磁気テープ、不揮発性のメモリカード、ＲＯＭ等を用いることができる。
【００５５】
また、上述する実施形態は、本発明の好適な実施形態であり、上記実施形態のみに本発明の範囲を限定するものではなく、本発明の要旨を逸脱しない範囲において種々の変更を施した形態での実施が可能である。
【図面の簡単な説明】
【００５６】
【図１】本発明の実施形態における画像処理装置の構成を示すブロック図である。
【図２】本発明の実施形態における画像処理装置の構成を示すブロック図である。
【図３】本発明の実施形態における画像処理装置の構成を示すブロック図である。
【符号の説明】
【００５７】
１    画像処理装置
２    画像メモリ
３    圧縮器
４    ＲＥＡＤ  ＤＭＡＣ
５    圧縮コア
６    最終符号検知部
７    ＷＲＩＴＥ  ＤＭＡＣ
２１    受信Ｍｏｄ（モジュール）
２２    送信Ｍｏｄ（モジュール）
２３    第１トグルバッファ
２４    第２トグルバッファ
３１    他モジュール
３２    ｍバンド画像データ領域
３２    ｍ＋１バンド画像データ領域
【図１】
2007201705.tif 000003
【図２】
2007201705.tif 000004
【図３】
2007201705.tif 000005